(57)【要約】      （修正有）【課題】構造および成形において省資源、省力化ができて、輸送、保管、養殖現場の取り扱いにおいて、変形、破損、歪みが無く、母線へ左右対称に安定で容易な取り付けができ、稚貝の養殖に適し、脱離が非常に少ない養殖用貝延伸掛止具を提供する。【解決手段】樹脂製棒状の根幹３の長手方向の一端または両端に、根幹の先端側から中心方向に順次先端貝孔挿入３２１部、貝抜け防止部３２２、および貝吊り下げ部３２３を有する構造からなる貝保持用部位３２と、根幹の中央部分には母線を挟む一対のロープ止め突起３１１，３１２がその先端部が中心側にそれぞれ傾斜した状態で根幹を起点にして左右対称に設置されている構造からなるロープ止め部位３１から構成されており、貝保持用部位の根幹部分が延伸配向により強化されている養殖用帆立貝延伸掛止具単体、該単体が連結した養殖用帆立貝連結延伸掛止具、延伸成形方法および割型を使用した延伸成形装置。【選択図】図１
2015223129.tif 000002
【特許請求の範囲】
【請求項１】
樹脂製棒状の根幹の長手方向の一端または両端に、根幹の先端側から中心方向に順次先端貝孔挿入部、貝抜け防止部、および貝吊り下げ部を有する構造からなる貝保持用部位と、根幹の中央部分には母線を挟むに十分な間隔を持った一対のロープ止め突起がその先端部が中心側にそれぞれ傾斜した状態で根幹を起点にして左右対称に設置されている構造からなるロープ止め部位から構成されており、その貝保持用部位の根幹部分が延伸配向により強化された特性を有することを特徴とする養殖用貝延伸掛止具単体。
【請求項２】
貝保持用部位を構成する延伸強化された根幹の径が０．８〜１．５ｍｍであることを特徴とする請求項１に記載の養殖用貝延伸掛止具単体。
【請求項３】
貝保持用部位を構成する根幹が、軸方向に１．２〜８倍に延伸されていることを特徴とする請求項１又は２に記載の養殖用貝延伸掛止具単体。
【請求項４】
貝保持用部位の根幹が６〜１６ｋｇの引張り強度を有することを特徴とする請求項１〜３のいずれかに記載の養殖用貝延伸掛止具単体。
【請求項５】
貝抜け防止部が一重または二重のアグ、又はかえし構造からなることを特徴とする請求項１〜４のいずれかに記載の養殖用貝延伸掛止具単体。
【請求項６】
ポリアミド樹脂またはポリプロピレン樹脂を用いて成形されていることを特徴とする請求項１〜５のいずれかに記載の養殖用貝延伸掛止具単体。
【請求項７】
請求項１の養殖用貝掛止具単体を根幹の軸部が平行になるように多数並列の帯状に湾曲自在に連結したことを特徴とする養殖用貝連結延伸掛止具。
【請求項８】
養殖用貝延伸掛止具単体の連結が、一方のロープ止め突起の先端における連結、および他方のロープ止め突起の内側に接触しない程度に隣接する位置から根幹の長手方向に対して直交方向に伸びる一本の可撓性連結材により連結した、少なくとも二箇所で根幹同士が連結していることを特徴とする請求項７に記載の養殖用貝連結延伸掛止具。
【請求項９】
養殖用貝延伸掛止具単体の連結が、一方のロープ止め突起の先端における連結、および他方のロープ止め突起の外側に接触しない程度に隣接する位置から根幹の長手方向に対して直交方向に伸びる一本の可撓性連結材により連結した、少なくとも二箇所で根幹同士が連結していることを特徴とする請求項７に記載の養殖用貝連結延伸掛止具。
【請求項１０】
養殖用貝延伸掛止具単体の、５０〜３００００個が順次並列に連結することにより帯状に、ロール状に、又はボビン状に巻かれた状態にあることを特徴とする請求項７〜９のいずれかに記載の養殖用貝連結延伸掛止具。
【請求項１１】
射出成形により樹脂製棒状の根幹の長手方向の一端または両端に、根幹の先端側から中心方向に順次先端貝孔挿入部、貝抜け防止部、および貝吊り下げ部を有する構造からなる貝保持用部位と、根幹の中央部分には母線を挟むに十分な間隔を持った一対のロープ止め突起がその先端部が中心側にそれぞれ傾斜した状態で根幹を起点にして左右対称に設置されている構造からなるロープ止め部位から構成されている未延伸状態の掛止具を予め成形し、次いで貝保持用部位の根幹部を温度９０〜３３０℃の樹脂の融点以下の温度で引き伸ばして分子を配向させることを特徴とする養殖用貝延伸掛止具単体または養殖用貝連結延伸掛止具の延伸成形方法。
【請求項１２】
スプール、ハの字型の傾斜ピンが設けられている上下に移動可能な上部機構、掛止具が賦型され、樹脂注入口を有する上型および下型から構成されており、上型および下型が、貝保持用部位を延伸する為に左右に移動可能な状態の右型、中型および左型に三分割できる割型が配置されている構成からな中央機構、および台座の機能を備えた下部機構から構成されており、上部機構の射出の為の上下移動に従って傾斜ピンが連動して移動することにより、右型および左型をそれぞれ左右に移動させて延伸を付与する機構を備えた養殖用貝延伸掛止具単体または養殖用貝連結延伸掛止具の延伸成形装置。
【発明の詳細な説明】
【技術分野】
【０００１】
本発明は、帆立貝の養殖に於ける稚貝をロープに取付けるために使用する貝の養殖に適した強度を備えた延伸強化樹脂製帆立貝養殖用掛止具、その掛止具の成形方法および成形装置に関する。
特に、帆立貝の養殖に用いる、ロール巻き、ボビン巻き、切り離し、養殖用ロープ取り付けが容易で、しかもロープのような母線に安定に取り付けることができる為に、帆立貝が離脱することが比較的少ない延伸強化構造を有する樹脂製帆立貝掛止具単体、その帆立貝係止具単体が連続的に多数順次帯状に連結した並列状連結帆立貝掛止具、その延伸成形方法および成形装置に関する。
【背景技術】
【０００２】
初期の養殖用帆立貝掛止具としては、弾性針金を加工して、貝を吊り下げるような構造にすることは公知である（例えば、特許文献1参照）。また、母線に係止された、先端部に塊状掛止部を有する合成樹脂製細線を、ほたて稚貝の耳部に穿孔した小孔に挿通して、ほたて貝の脱離を防止することも公知である（例えば、特許文献２参照）。
このような帆立貝の養殖方法には、稚貝の耳に穴を明け、これにテグスを通してロープに結び、海中に吊下げて養殖するループ方式と言われている。
【０００３】
其の後、作業効率を図るために、一本の小さな棒状物にロープに差し込み部分と、稚貝の耳の穴に差し込む部分の二つの構造を備えた掛止具が開発され、この帆立貝掛止具の単品の大部分は、その基本構造が細長の根幹により構成されており、通常その大きさや形状、機能から当業界においては便宜上、「ピン（ｐｉｎ）」、係止具、掛止具、ハンガーとも呼称されている場合があるが、ここでは「掛止具」という用語で統一して表す。
このピンと呼称される掛止具をロープに差し込み、さらに稚貝の耳にも挿通させた状態で、沢山ロープに取り付け、海中に垂らして養殖する耳吊養殖が普及している。
具体的には、帆立貝を養殖する場合において、貝掛止具をロープへ一定間隔で貫通させておき、一方で帆立貝の耳部に穴をあけ、この穴に貝掛止具の根幹を挿通させた状態で、帆立貝を海中に吊り下げて養殖する方法が採用されており、この養殖方法は、通称、「垂下方式」とも呼ばれることもある。
【０００４】
現在、帆立貝は養殖によるものが多く、そのほたて貝の養殖の垂下方式に供するプラスチック製の帆立貝掛止具の単品の構造は、根幹の長手方向の両端部に対称に抜け防止部および根幹の略中心寄りにピン対の抑え部がほぼ対称に設けられている構造のものである。これを、細ひも又はロープのような母線に沿って、ほたて貝耳吊用貝掛止具を略等間隔にとりつけ、その貝掛止具にほたて貝の稚貝を対象に取り付けるのが一般的である。詳細には、ほたて稚貝の耳部に穿孔による孔部を設けて、その孔部に掛止具の根幹の両末端に形成されたアグまたはかえし状の抜け防止部を有するピンを、その根幹の軸方向に一致するように稚貝の孔部に挿通すると、抜け防止部のアグまたはかえし部の毛羽たちにより、稚貝が容易に抜けることにより離脱しないような構造になっている。
しかし、海水の揺動や、貝の成長、あるいは、海中という特殊な環境下における材料の疲労、海洋生物の付着というような予期せぬ現象が加わり、長期間ほたて貝に耳吊用帆立貝掛止具を使用すると、特に抜け防止部に対して海水中の貝の揺動により帆立貝の殻の耳部の突起形状部に接触しながら回転運動の力が加わり、抜け防止部にクリープ現象が発生し、抜け防止部が貝掛止具の根幹に密着することによって、帆立貝が貝掛止具から離脱する現象が見られる。
【０００５】
この養殖用帆立貝掛止具の利便性、生産性および流通性の面から考察すれば、合理的な生産方法は、通常は多数個取りの金型を使用して連続的に大量に製造することになり、しかもまとめて沢山の帆立貝掛止具を養殖現場に供給するための保管および輸送の利便性、さらには、切断差込機へのセットの利便性の点から、多数の養殖用帆立貝掛止具が、並列的に多数並べられた連結状態のもので、ロール巻きまたはボビンに巻き取った状態の並列状連結帆立貝掛止具の連結構造で取り扱われているのが実情である。このピンをロープ自動取り付け装置に供する為の便利さや、巻き取り輪状態による保管、輸送、取り扱いの便利の為に、帆立貝掛止具の単品を多数並列状に並べた、いわゆる並列状連結帆立貝掛止具の形態で流通または取り扱われている。
【０００６】
技術用語として通常は、帯状、輪状の形態を含めて総称して、フープ（ｈｏｏｐ）と称されることから、養殖業界では、並列状連結帆立貝掛止具を通称「フープピン」と呼称している。この貝掛止具であるピンを手刺機を利用している場合もあるが、近年これを自動挿入する自動刺機が主流となっている。そうすると、この並列状連結帆立貝掛止具のこの連結構造が、ロープにスムーズに挿入することができる作業性、ロープ取り付け後のピンの安定性、帆立貝の取り付け後の安定性、および成形性などの多面的な対策を検討する必要がある。
【０００７】
このために、帆立貝掛止具単品の構造の視点からの対策、および並列状連結帆立貝掛止具（フープピン）の連結構造の視点からの対策が重要になっている。貝掛止具単品の対策としては、この養殖帆立貝掛止具からの離脱を防止するために、専ら抜け防止部の構造や形状を改良および工夫することは知られている（特許文献１１、特許文献１２）。
しかし抜け防止部の改良だけでは、離脱を完全に防止することが期待できなく、さらなる工夫が求められる。貝の耳部の穴に挿入する係止具を構成する根幹の両端部に、貝抜け防止の為に設ける、「かえし」、または「あぐ」と呼称される抜け防止部の部分を、二つにした、いわゆるダブルアグ構造にしたものが知られている。更には、根幹の中央部を台形状にずらした構造とする、いわゆる台形型貝掛止具も提案されており、ロープへの安定な取り付け構造が要求されている。
【０００８】
同様に、並列状連結帆立貝掛止具（フープピン）の連結構造の視点からの改良として、並列状連結帆立貝掛止具の連結の改良として、根幹に設けられているロープ止めの先端部分を隣接するピンの根幹に連結した構造の養殖帆立貝の掛止具が知られている（特許文献３、４）。
また、帆立貝掛止具の単品を、連結材を利用して、一本の連結材により中央部とロープ止めの先端部で繋ぐこと、或いは二本の連結材で繋ぐことなどが提案されている（特許文献４、５、６）。また、貝掛止具の単品であるピンの中央部で連結材により多数連結することも提案されている（特許文献７）。
さらに、貝掛止具であるピンを二本の連結材によりロープ止め内の根幹部分を連結するが、連結材をロープ止め突起側にそれぞれ近接するよう配置して連結することも提案されている（特許文献８）。
さらに、帆立貝係止具の根幹の中央部分を台形状に屈曲させその台形部分として、対のロープ止め突起の先端部で隣接する帆立貝掛止具の根幹と順次平行に帯状に並列に連結した貝掛止具が知られている（特許文献９）。
【０００９】
この帆立貝掛止具の連結は、一体成形の関係上通常は、帆立貝掛止具と同じプラスチック材料製の可撓性の材料からなる。この帆立貝掛止具の連結状態は、例えば、帆立貝掛止具の抜け防止部のほぼ中間に根幹とほぼ直角方向延びる、左右対称に連結用部材、幹、ストランドのような複数の連結用部材により繋いだ状態のものがが、ロール巻き取り安定性という観点から推奨される。しかし、帆立貝掛止具を養殖用ロープにセットする場合に、連結用部材の切断残渣がロープ挿入の支障となる場合がある。同様に、帆立貝掛止具の根幹の両対称に設けられているピン抑え部の突起のほぼ中央部に１本の連結用部材を設けることも提案されている（特許文献１１、１２、１３）。
【００１０】
このような係止具が、帆立貝掛止具の安定性、特に捩じれによる変形に対しては非常に弱いことが懸念され、ロール捲きなどによる取り扱い上支障となる。さらに、帆立貝掛止具間を連結用部材と２個のピン抑え部を構成する突起部とにより連結するという、いわゆる３点で連結することも提案されているが、強度の連結は達成されても、帆立貝掛止具を機械でロープに挿入する時、ピンの挿入抵抗が大きいため、ロープにスムーズに挿入できず、取り付け作業に支障をきたさない、安定な取り付けの帆立貝掛止具が求められている。このような観点から、総合的な特性のある帆立貝掛止具の誕生が期待されている。
【００１１】
帆立貝掛止具の強度面から考察すれば、養殖後の耳吊養殖で成長した帆立貝の収穫は船上に設けてある、ローラで巻き上げて回収されるが、その途中で帆立貝が海底に落下するという事故が発生している為、船上から海中にコンベアを設置し、落下した帆立貝の回収が行われているのが実情であり、掛止具の根幹を太くして強度を上げることが理想であるが、しかし、根幹の径を大きくすることは、貝殻に穿孔する径を大きくすることになり、貝殻の破損や、貝の生育にも大きく影響することになり制約がある。できる限り、稚貝の貝殻の耳部に穿孔する場合に、穴はなるべく小さくすることが望まれる。
【００１２】
掛止具が特にプラスチック材料から構成されていることからすれば、その強化の為には、ピンの構造的な面からの設計、充填剤、強化剤による組成物のような材料の視点からの改良、積層、繊維強化などの複合材料による改良、熱処理、延伸処理などの物理的処理の視点からの強化というような改良策が一応考えられるが、ピンの大きさや独特な形態および構造に起因して、素材の選定における材料の特性の面からの制約や、成形性などを考慮した加工の面から制約、および成形方法および成形装置の面からの技術的な制約も加わり、その対策には多面的な工夫が求められる。
特に延伸加工により、引張強度が高く靭性のある製品には「フィルム」、「結束バンド」、荷札用の「タグ」、「テグス」等、数多く見受けられるが「結束バンド」の素材には、一般的にポリプロピレンが用いられており、「テグス」にはポリアミドが用いられている。延伸加工は、汎用の繊維、フィルムの大規模な成形に採用されている慣用技術であるが、特殊な成形体であるピンの製作に延伸技術を採用するという着想、およびピンの重要な部分を強化するという技術的な課題は、ピン独特な形状であることや、技術分野の特殊性からすると技術的に困難であり、この技術課題の指向は当該技術分野には見られないのが実情である。
本発明の前記の従来の特に帆立貝の養殖用のプラスチック製掛止具の有する欠点である、特に太くても強度が小さいという欠点を解消する技術思想は皆無である。
【発明の開示】
【発明が解決しようとする課題】
【００１３】
本発明は係止具の、特に貝孔に疎入する貝掛止具の根幹の両端部を細く且つ強化することにより貝の耳孔への挿入が容易であり、養殖の条件に耐え得る強度を備えた養殖用の樹脂製帆立貝延伸掛止具単体、単体の並列状連結貝延伸掛止具を提供するという課題を解決するとともに、その複雑な構造を有する掛止具の延伸成形方法および延伸成形装置を提供するという課題を解決したことにある。
詳細には、この並列状連結貝延伸掛止具を構成する延伸掛止具単品とは、掛止具の特定な部分を延伸技術により強化した構造のものであって、掛止具を母線に手刺機および自動機に於いて、ロープ、ひものような母線に容易に、安定に挿通でき、しかも規格どおりの母線位置に等間隔に、対称に極めて安定に固定ができ、しかも帆立稚貝の貝殻の穿孔部の径を比較的小さくすることができる。また、掛止具を挿通することが容易にできるとともに、ロープ止めの機能を、連結の為の役割および帆立貝掛止具の母線からのずれを防止するというような多機能の課題を解決することに併せて、貝の生育に伴う重量負担にもかかわらず帆立貝の離脱も防止可能である。さらには、連結した帆立貝掛止具のロール巻き取り、ボビン巻取りが安定にできるために、輸送、保管、自動刺機への設置、取り扱いが容易であるという課題を解決することにある。
【課題を解決するための手段】
【００１４】
本発明は、上記の貝掛止具に係わる課題を解決する為に、詳細に以下の手段を採ることを特徴とするものである。
本発明の第１の特徴点は、樹脂製棒状の根幹の長手方向の一端または両端に、根幹の先端側から中心方向に順次先端貝孔挿入部、貝抜け防止部、および貝吊り下げ部を有する構造からなる貝保持用部位と、根幹の中央部分には母線を挟むに十分な間隔を持った一対のロープ止め突起がその先端部が中心側にそれぞれ傾斜した状態で根幹を起点にして左右対称に設置されている構造からなるロープ止め部位から構成されており、その貝保持用部位の根幹部分が延伸配向により強化された特性を有することを特徴とする養殖用貝延伸掛止具単体、にある。
本発明の第２の特徴点は、貝保持用部位を構成する延伸強化された根幹の径が０．８〜１．５ｍｍであることを特徴とする養殖用貝延伸掛止具単体、にある。
【００１５】
本発明の第３の特徴点は、貝保持用部位を構成する根幹が、軸方向に１．２〜８倍に延伸されていることを特徴とする養殖用貝延伸掛止具単体、にある。
本発明の第４の特徴点は、貝保持用部位の根幹が６〜１６ｋｇの引張り強度を有することを特徴とする養殖用貝延伸掛止具単体、にある。
本発明の第５の特徴点は、貝抜け防止部が一重または二重のアグ、又はかえし構造からなることを特徴とする養殖用貝延伸掛止具単体、にある。
本発明の第６の特徴点は、ポリアミド樹脂またはポリプロピレン樹脂を用いて成形されていることを特徴とする養殖用貝延伸掛止具単体、にある。
【００１６】
本発明の第７の特徴点は、上記の養殖用貝掛止具単体を根幹の軸部が平行になるように多数並列の帯状に湾曲自在に連結したことを特徴とする養殖用貝連結延伸掛止具、にある。
本発明の第８の特徴点は、養殖用貝延伸掛止具単体の連結が、一方のロープ止め突起の先端における連結、および他方のロープ止め突起の内側に接触しない程度に隣接する位置から根幹の長手方向に対して直交方向に伸びる一本の可撓性連結材により連結した、少なくとも二箇所で根幹同士が連結していることを特徴とする養殖用貝連結延伸掛止具、にある。
【００１７】
本発明の第９の特徴点は、養殖用貝延伸掛止具単体の連結が、一方のロープ止め突起の先端における連結、および他方のロープ止め突起の外側に接触しない程度に隣接する位置から根幹の長手方向に対して直交方向に伸びる一本の可撓性連結材により連結した、少なくとも二箇所で根幹同士が連結していることを特徴とする養殖用貝連結延伸掛止具、にある。
本発明の第１０の特徴点は、養殖用貝延伸掛止具単体の、５０〜３００００個が順次並列に連結することにより帯状に、ロール状に、又はボビン状に巻かれた状態にあることを特徴とする養殖用貝連結延伸掛止具、にある。
【００１８】
本発明の第１１の特徴点は、射出成形により樹脂製棒状の根幹の長手方向の一端または両端に、根幹の先端側から中心方向に順次先端貝孔挿入部、貝抜け防止部、および貝吊り下げ部を有する構造からなる貝保持用部位と、根幹の中央部分には母線を挟むに十分な間隔を持った一対のロープ止め突起がその先端部が中心側にそれぞれ傾斜した状態で根幹を起点にして左右対称に設置されている構造からなるロープ止め部位から構成されている未延伸状態の掛止具を予め成形し、次いで貝保持用部位の根幹部を温度９０〜３３０℃の樹脂の融点以下の温度で引き伸ばして分子を配向させることを特徴とする養殖用貝延伸掛止具単体または養殖用貝連結延伸掛止具の延伸成形方法、にある。
本発明の第１２の特徴点は、スプール、ハの字型の傾斜ピンが設けられている上下に移動可能な上部機構、掛止具が賦型され、樹脂注入口を有する上型および下型から構成されており、上型および下型が、貝保持用部位を延伸する為に左右に移動可能な状態の右型、中型および左型に三分割できる割型が配置されている構成からな中央機構、および台座の機能を備えた下部機構から構成されており、上部機構の射出の為の上下移動に従って傾斜ピンが連動して移動することにより、右型および左型をそれぞれ左右に移動させて延伸を付与する機構を備えた養殖用貝延伸掛止具単体または養殖用貝連結延伸掛止具の延伸成形装置、にある。
【発明の効果】
【００１９】
本発明は、プラスチックなどの樹脂から製造される、養殖用貝の特に帆立貝延伸掛止具単体は、引張強度や屈曲に対して強靭であり、しかもその帯状の並列状連結帆立貝延伸掛止具でも、変形、歪み、破損、偏りなどが無く安定であり、しかもロール巻き取り、ボビン巻取りが安定にできるために、輸送、保管、取り扱い上において便利である。しかも貝掛止具単体をロープのような母線に手刺機および自動刺機（ピンセッター）においても、延伸強化により比較的細く加工されていることに起因して、稚貝の貝殻穿孔の穴部に挿通することが容易にできるとともに、貝延伸掛止具にずれが無く、極めて安定に母線へ左右対称に、等間隔に固定できる。延伸強化掛止具において、延伸強化により根幹の径を細くすることが可能であり、稚貝の貝殻の穿孔径を、例えば１．５ｍｍ径というように、穿孔径を比較的小さくすることができるので、貝殻の破損を少なくして、しかも穿孔による貝の生育の遅れを阻止するできる利点がある。さらに、貝の生育による重量増、海洋生物の付着による重量増加に対しても、根幹を細くした延伸掛止具であっても対処できる。
延伸掛止具単体および連結延伸掛止具の構造および設計は、無駄な材料の消費を抑えて、ピン抑え部と連結部材の残留突起が有ったとしても、それは連結の為の役割ばかりでなく帆立貝掛止具の母線方向に対するずれや、迅速に挿入距離のバラツキを防止するというような多機能の役割を果たす。結果的には帆立貝の離脱も防止するという歩留まりの高いコスト的にも優れた作用効果が期待できる。さらに、ロール状に巻いた並列状連結帆立貝延伸掛止具を切断装置により単品に分離した場合に、ロープへ挿入する際の抵抗を少なくすることができるので、挿通装置における挿入が円滑にでき、ロープに挿入された貝延伸掛止具がロープに対称に固着して、貝係止具が回転してアグが帆立貝の耳の段差に接触して、アグに疲労が発生して根幹に密着して、貝延伸掛止具が帆立貝の穴より抜けるような障害の発生が少ない。
本発明の並列状連結帆立貝延伸掛止具は、ロープ止め突起の片方が連結用部材を兼ねるという構造であるが故に、比較的簡単な構造設計ができるために、成形上に不良品発生リスクが非常に少ないという利点も有する。したがって、本発明の延伸掛止具は、帆立貝の養殖に最も適しているが、牡蠣などの他の貝の養殖にも容易に使用できる特性を有する。
【図面の簡単な説明】
【００２０】
【図１】本発明の帆立貝延伸掛止具単体。  〔図１（ａ）〕は、本発明の帆立貝延伸掛止具単体の正面図。  〔図１（ｂ）〕は、本発明の帆立貝延伸掛止具単体の平面図。
【図２】未延伸の従来型の貝掛止具単体。延伸成形に用いた金型の全体図。
【００２１】
【図３】貝延伸掛止具単体を貝殻穿孔に挿入させた状態図。  〔図３（ａ）〕は、従来型の未延伸掛止具を貝殻の耳孔に挿入する状態を示す正面図。貝の耳に１．６５ｍｍ穴あけを行い、直径１．６ｍｍ未延伸の掛止具を稚貝に挿入している状態の図である。  〔図３（ｂ）〕は、本発明の帆立貝延伸掛止具を挿入させた状態図。本発明の帆立貝延伸掛止具を耳孔に挿入する状態を示す正面図。
【図４】本発明の養殖用帆立貝連結延伸掛止具の正面図。ロールに巻き取る為、両側のランナーを切り離した状態を説明する正面図である。
【図５】本発明の養殖用帆立貝延伸連結掛止具を金型より取り出した正面図。両側のランナーがまだ付着している状態の貝延伸連結掛止具を説明する正面図である。
【図６】図５の延伸連結掛止具より切り離した延伸掛止具単体の図。  〔図６（ａ）〕は、本発明の帆立貝延伸掛止具単体の平面図。  〔図６（ｂ）〕は、本発明の帆立貝延伸掛止具単体の正面図。
【図７】並列状連結具延伸掛止具が金型へ充填成形された未延伸状態で配置されている下側金型のキャビティ−の図。  〔図７（ａ）〕は、本発明の下側金型のキャビティ−の平面図。  〔図７（ｂ）〕は、本発明の下側金型のキャビティ−の正面図。
【図８】未延伸の掛止具を〔図１０〕に示す型開を行う際に傾斜ピンの押力によってスライド６２、６３が矢印方向に移動し、寝床の径が延伸されている状態を示す図である。      〔図８（ａ）〕は、本発明の下側金型のキャビティ−の延伸状態の平面図。  〔図８（ｂ）〕は、本発明の下側金型のキャビティ−の延伸状態の正面図。
【図９】本発明の貝掛止具の延伸成形装置であり、未延伸の状態の掛止具を射出成形した状態を示す成形装置である。具体的には〔図７（ａ）〕に示すような状態で下側金型のキャビティ−に未延伸の貝掛止具が収納されている。
【図１０】成形装置を稼動させてスライドコアを移動させて貝掛止具の貝保持用部位を延伸する状態を示す成形装置の図である。具体的には〔図８（ａ）〕に示す要領で下側金型のキャビティ−に収納されている貝掛止具に延伸が賦与される。
【図１１】海中での貝の養殖状況を示す模式図である。  〔図１１（ａ）〕は、養殖用並列状連結延伸掛止具を切断し、帆立貝の耳部に穿孔した孔部に刺通して海水中で養殖に使用する本発明の模式図である。  〔図１１（ｂ）〕は、養殖用並列状連結未延伸掛止具を切断し、帆立貝の耳部に穿孔した孔部に刺通して海水中で養殖に使用する従来型の養殖の模式図である。
【発明を実施するための形態】
【００２２】
以下、本発明の詳細を説明する。
本願発明の実施形態を、図面を参考にして詳細に説明すると、本発明の養殖用貝掛止具、特に帆立貝の養殖に適した延伸掛止具単体２を構成する基本構造は、特に図１（ａ）および、図１（ｂ）に見るように、樹脂（プラスチック）製の小さな細長い棒状の根幹３の中央部分が「ロープ止め部位３１」より構成されており、根幹３の一端または両端部分が「貝保持用部位３２」により構成されている。
このロープ止め部位３１には、根幹３の中央部付近にロープ、縄、又は紐のような母線Ｒに帆立貝掛止具を掛止した場合のずれ、偏りの動きを防止するピン抑え部の機能を果たす、一対のロープ止め突起３１１、３１２が、根幹の中央付近に存在して、根幹の中心付近を起点にして母線を挟むに十分な強度および間隔を持って、先端が中心側に傾斜した状態で根幹を起点にして左右対称に設置されている構造からなっている。
養殖規模を考慮して、例えば、直系約１ｃｍ程度のロープを母線Ｒとして使用する場合には、突起間隔が１〜１．８ｃｍ程度にするという、母線の径より若干幅広にするというような、母線を挟むという使用状態を考慮して、最も好ましい程度の間隔に調整するということは設計事項の範囲である。
母線の選定は、強度を持たせることも必要であるが、縒りの程度を調節して、掛止具の挿入を容易にすることは勿論のこと、安定な固定の為に、材質、太さ、および縒りの程度を考慮して任意に調整する。
【００２３】
貝掛止具を構成する貝保持用部位３２には、その根幹一端または両端に先細りの挿入先端部３２１があり、その挿入先端部３２１より中央寄りには、貝抜け防止部３２２があり、この貝抜け防止部３２２には、通常は、アグ、かえし、二重アグ、Ｔ字、のような各種の構造をした貝の抜け防止機能を有する貝の抜け止め具３２４が設けられている。
その貝抜け防止部３２２より中央寄りには、貝吊り下げ部３２３が順次敷設されており、この貝吊り下げ部３２３とは、養殖期間中に貝が係留される貝吊り下げ部３２３（別名、貝の「寝床」と呼称されることもある。）の役割を果たしている。
このような貝掛止具単体２において、特に貝保持用部位３２を構成する樹脂製根幹３部分の材料を延伸する、好ましくは一軸延伸をすることにより強度、弾性率を向上させた、いわゆる延伸配向による引っ張り強度、物理的な特性が賦与された構造部材から構成された掛止具である。特に貝吊り下げ部３２３の部分を含む根幹３部の必要部分が最も適正に延伸配向されている掛止具を総称して「延伸掛止具」と表示する。
【００２４】
その貝保持用部位３２の樹脂製根幹３部分は、詳細には、軸方向に１．２〜８倍に延伸配向していること、好ましくは１．５〜４倍程度に延伸された、一軸延伸配向されることにより強化された特性を備えた材料からなる。この延伸配向による強化特性により、図３（ａ）に見る延伸前の掛止具の貝抜け防止部３２２の最大径が１．６ｍｍ程度であり、引っ張り強度も６ｋｇ程度のものが、根幹３部が延伸により全体的により細くなり、図３（ｂ）に示すとおり、延伸後の掛止具の貝抜け防止部３２２の最大径が１．５ｍｍ以下に可能であり、しかも引っ張り強度も１０ｋｇ程度の特性が賦与されるので、貝殻の耳への穿孔径を小さくすることができるばかりでなく、強度的にも飛躍的に向上するので、養殖現場による貝の成育、貝の損傷および貝の離脱などのリスクを大幅に減らすことができる。
特に係止具単体２の貝保持用部位３２の根幹部が、比較的細く、しかも延伸配向による強化特性により、強靭であり、可撓性を備えているということは、図１１（ａ）に見るように貝が海中で浮遊する場合に柔軟な揺動、遊泳ができるので、貝の離脱が抑制され、貝に付加される衝撃も緩和され養殖に適した環境が形成される。同様に、延伸後の貝吊り下げ部３２３（寝床）の径は０．８ｍｍ程度に形成されており、貝穴１．５ｍｍでも容易に挿入することができるようになる。
【００２５】
根幹３の直径は、０．５〜５ｍｍ程度のものが一般的に任意に用いられる可能な範囲であるが、延伸前の普及サイズの径としては、約１．２ｍｍ、１．５ｍｍ、１．８ｍｍ、２ｍｍ、３ｍｍなどの大きさのものが実用的である。根幹は均一な太さの棒状のものでも良いが、一般には根幹３の長さ方向の中央部分が比較的太く、両端部にいくにしたがって細くなる傾向のものが貝の損傷防止などを考慮して決めることが推奨される。特に延伸された根幹部分はさらに断面積が細くなっているが、引張強度は非常に高い。この連結帆立貝掛止具１の太さ、大きさというようなサイズは、最終的には、海水の状態、稚貝の大きさ、掛止具の材料の強度等も考慮して、貝の、特にほたて貝の養殖環境に応じて、養殖業者の需要に応じて決めるようなことであるが、一応、大量に供給する標準サイズの例である。根幹３の断面は、円形、直方形、長方形、楕円形といった種々の形態を取りうる。稚貝を取り付ける場合の力学的な構造を考慮して、任意に、取り得るが、通常は円形、楕円形となる場合が多いが、場合によっては略正方形、略長方形の断面構造という任意の形態をとることも可能である。
【００２６】
その延伸の温度条件は、図２に示すような、予め未延伸状態の掛止具を成形して、除冷段階で、貝保持用部位３２の根幹を構成する樹脂（プラスチック）を、その融点（Ｔｍ）以下の温度で根幹３２を軸方向に引き伸ばして、引っ張り方向に線状高分子を配向させることにより達成できる。根幹３の樹脂は、例えばポリプロピレン、ポリアミド、などを用いるが、その樹脂の種類により融点が若干相違する為に、樹脂に応じた延伸温度を設定する。通常は、温度９０〜３３０℃、好ましくは約９５〜３２０℃の範囲で延伸温度を調整することが好ましい。ポリアミドの別名である、ナイロン６、ナイロン６６、吸水性小さいナイロン１１などは、Ｔｍ；約１８０℃〜１９４℃程度であり、芳香族ナイロンになるとＴｍ；３００℃以上のものもあり、そのナイロンの種類に応じて延伸温度を調整しなければならない。ポリプロピレンのＴｍ；約１７６℃、ポリエチレンのＴｍ；約１３７℃、ポリ塩化ビニルのＴｍ；約２１２℃、ポリカーボネートのＴｍ；約２２０℃程度であり、この延伸時点は、熱可塑性樹脂を用いて係止具を射出成形、加圧成形などにより融点以上の温度で予め成形した成形品が徐冷する段階で、融点以下に冷却される時点を見て、延伸操作を加えることが好ましい。この延伸温度の選定は、樹脂の種類や分子量の違いにより、若干相違するので、延伸操作は、慣用の延伸操作を微妙に調整しながら試行錯誤により、最適な延伸温度の条件およびタイミングを決めることができる。
【００２７】
延伸の程度は、延伸度の尺度である慣用の延伸比（ｄｒａｗ  ｒａｔｉｏ）（ＤＲ）を参考にして表示することもできる。「未延伸材料の横断面積と延伸材料の横断面積の比」で表すことが好ましい。ポリプロピレンの例で言えば、樹脂製根幹の軸方向への引き伸ばしにより達成できるが、押し出し、絞りなどの成形操作を併設した操作により延伸を付加することも可能であり、ＤＲに付随する効果を示す。通常のポリプロピレンシートの例の傾向を参考にすれば、延伸比が、ＤＲ＝１０で、ヤング率５、０００Ｎ／ｍｍ２程度であるが、ＤＲ＝２０では１０、０００  Ｎ／ｍｍ２程度となり、延伸比（延伸倍率）に応じてヤング率が向上する傾向を示す。同様に延伸比（ＤＲ）と引っ張り強度の関係もＤＲ＝１０で、引っ張り強度２００Ｎ／ｍｍ２程度であるが、ＤＲ＝２０では２４０Ｎ／ｍｍ２程度と、引っ張り強度が向上する傾向を示すことが知られている。
貝掛止具２の根幹３を軸方向に一軸延伸しても、それに準じた引っ張り強度が向上する傾向を示す。この延伸比（ＤＲ）の選定は、根幹の長さの最適な寸法、樹脂の種類や分子量の違いなどにより延伸温度、延伸比が若干相違するが、最適な延伸比（ＤＲ）で表示すれば、ＤＲが１〜４０、好ましくはＤＲが１．５〜１０程度の範囲で任意に決めることができる。
【００２８】
樹脂である、特に線状高分子重合体などが延伸された掛止具２の根幹３の両端部にある、特に貝保持用部位３２には、根幹の先端側から中心方向に順次先端貝孔挿入部３２１、貝抜け防止部３２２、および特に貝吊り下げ部３２３（別名貝の寝床ともいう。）により構成されているので、その各部位の根幹部分の直径は延伸によりやや細くなる一方で、軸方向に分子配向されているために、強度が著しく向上している傾向を示す。このように線状高分子重合体は延伸することによって、その断面は縮小する反面、分子が配向することによって強度が著しく増加する利点もあり、さらに靭性が増加し、その延伸比（倍率）に応じて根幹の断面積が縮小するので、これを貝穴に挿入することが容易になる。しかも延伸配向による強化特性は、ある程度の腰の強さを有するので、貝穴の穿孔径を比較的小さく設計することができるため、貝の発育にも有利になり、掛止具として非常に有益な特性を備えている。
【００２９】
貝係止具の養殖事情や強度面から考察すれば、養殖後の耳吊養殖で成長した帆立貝の収穫は船上に設けてある、ロープＲをローラで巻き上げて回収されるが、その途中で帆立貝が海底に落下するという事故が発生することもあり、船上から海中にコンベアを設置し、落下した帆立貝を回収する作業が行われているのが実情であり、係止具の根幹を太くして強度を上げることが理想であるが、しかし、根幹の径を大きくすることには以下の理由により制約がある。
稚貝Ｓを養殖場のロープＲに掛止する際の稚貝の貝殻の大きさは約４〜５ｃｍ程度であり、掛止具を使用して、ロープに稚貝を吊り下げる期間は約１年半程度である。この期間に稚貝が成長し、収穫時期には約１６０ｇと成長しており、さらに、これにザラボヤと称する付着物も加わり、その重量は約５００ｇになる場合もあり、これに加えて、潮の流れの力、帆立貝と帆立貝が絡み合う力、および洋上クリーナーで洗浄する時の高圧の力、などが加わる場合も有る。このような総合的な力に耐えて、貝をロープに支持するだけの強度が掛止具には要求される。
【００３０】
一方、貝の生育や生態の事情からすれば、この耳吊養殖において懸念される問題点は、稚貝の殻の耳部に穿孔するものであるために、あけた穴の直径を０．１ｍｍ大きくするだけで稚貝の成長が１０日程遅れると云われており、この稚貝が受ける損傷を防止するために、稚貝の殻の耳部の穴の口径はなるべく小さくすることが望まれる。
稚貝の殻の耳部に大きな穴をあけると、貝の殻の耳割れが発生することや、成長が遅れるというリスクを考慮しても、最大１．５ｍｍ下でも掛止具が脱落しない１０ｋｇ程度の強度を有する掛止具が要求されるが、現在使用されている係止具は、根幹の径が１．６ｍｍ程度の掛止具であっても寝床の断面積と材料の引張降伏点から計算すれば静止の状態でも約６ｋｇ程度である。このような制約から根幹の径が１．５ｍｍでも１０ｋｇ程度の強度のある掛止具の開発が要求される。本発明は、貝掛止具という特異な形態の製品に対して、部分強化という、特に延伸強化という新たな視点からの技術的な手法を付加することにより、貝掛止具という材料強度の観点からの対策および貝の穿孔などによる養殖現場の貝の損傷および成長のリスクを解消するという、両面からの対策に適用できる技術的な問題点を解決することができたものである。貝掛止具の、貝保持用部位を構成する延伸強化された根幹３の径を例え、０．８〜１．５ｍｍと、比較的細く加工したとしても、貝保持用部位３２の根幹が６〜１６ｋｇ、好ましくは８〜１２ｋｇの引張り強度を有することになり、本発明の養殖用帆立貝延伸掛止具として適正な性能を備えている。
【００３１】
貝延伸掛止具単体２の概要および寸法を示すと、根幹３の中央部分を占めるロープ止め部位３１の概要は、長さが２０〜３５ｍｍ、径１〜５ｍｍ程度の規模で任意に設計できる。この部位には中心側に若干傾斜した長さが１〜６ｍｍ程度のピン抑え機能を果たすロープ止め突起片３１１、３１２が、１１〜２５ｍｍ程度の間隔で、根幹３の中央部付近に突起の先端が中央方向にやや傾いた状態で対称に対に形成されている構造になっている。
また、このロープ止め突起片３１１、３１２の大きさは、通常は、貝の大きさにもよるが、太さが０．０１〜３ｍｍ程度、長さが２〜８ｍｍ程度あれば十分である。
同様に、突起片の傾斜角θは、通常２０〜８０度程度、好ましくは３０〜６０度程度傾いた突起片であれば十分である。母線Ｒへ挿入する場合に、容易に傾斜して簡単に挿入できるが、逆からの動きを止めるにおいて有利に働く。貝延伸掛止具を母線Ｒへ挿入する場合には、若干中心部側へ倒れる程度の強度を有することが推奨される。この傾斜角θは、根幹３が母線Ｒからのスライドによる大幅なずれや偏り、抜け落ちることを防ぐとともに、一対のピン抑え機能を果たすロープ止め突起片３１１，３１２の間隔が母線Ｒの直径よりやや広いので、根幹３のスライドによる若干の遊びが、母線Ｒのゆれによって惹起する力が直接養殖用帆立貝の稚貝に伝わるのを緩和する作用をすることも有り得るばかりでなく、さらに、このピン抑え機能を果たすロープ止め突起片３１１，３１２およびその傾斜角θは必要以上に根幹３が母線Ｒから移動することを確実に止めることにおいて有利な構造であり、かつ有利に作用するように任意に設計をすることができる。
【００３２】
貝保持用部位３２の構造、機能および概略寸法をさらに詳細に説明をすれば、根幹３の一端または両端部には、特に図１、図６に見るとおり、抜け防止機能を有する係止部３２２が、貝挿入先端部３２１と一体に構築され、挿入先端部３２１はテーパー状になっており、ロープ、縄、紐のような母線Ｒに挿入することが容易になっている。特に、先端貝孔挿入部３２１は、先端が鋭利に加工された２〜１４ｍｍ程度の長さに形成されている。さらに根幹の中央方向側に、長さ０．２〜１０ｍｍ、径が０．２〜５ｍｍの範囲内で貝抜け防止部３２２が形成されており、続いて長さ５〜２０ｍｍ、径０．５〜２ｍｍ程度の貝吊り下げ部３２３（別名貝の寝床ともいう。）から構成されているものが好ましい。
通常は、貝延伸掛止具単体２は、自動挿入装置（ピンセッター）に連続的に適用できる並列状に多数連結した貝延伸掛止具１から切り離した単品として入手できる。
【００３３】
貝延伸掛止具単体２の、根幹３両端部に対称に設けられている、貝の取り付け部分３２を構成する抜け防止機能を有する係止部３２２は、通常は舌片状アゲ部分、二重アゲ部分、もしくは各種設計変更した構造の抜け止め具３２４を有する先端部になっており、根幹３と同じ軸方向の切れ目を設けて、先端部分が切れ目を境界にして上下または左右にずれた、いわゆるＷアグと呼称される、二重の細長片からなる構造のもの、或いは、切れ目のない単なる舌片状のもの、Ｔ字状のものなど、帆立貝の抜け落ちを防止する為に任意に工夫した構造のものを使用して養殖用帆立貝係止具とすることにより、特にアグ部の反りにより貝が抜け落ちることを防止するために、材料の特性を考慮して、アグ部の太さ、強度、傾斜角などの構造設計に留意して、貝の離脱を大幅に防ぐことができるという技術課題を解決することができる。
【００３４】
本発明の養殖用貝延伸掛止具単体２の実施態様を説明したが、通常は取り扱い上便利な、図４、図５などに示すとおり、延伸掛止具単体２の複数が、根幹を平行に隣接する単体とが帯状に並列に連結した連結貝延伸掛止具１となっている。
その連結の結合状態は安定な連結の為に、ロープ止め突起片３１１、３１２や根幹３に対して略直角方向に延びる、連結をする為の、線、幹、ストランドの形態をした材料からなる少なくとも一本の可撓性連結部材５を利用して、少なくとも二箇所で任意に連結した養殖用並列状連結貝延伸掛止具１とすることが好ましい。
その帆立貝掛止具の単品が並列的に連結した構造を説明すれば、この並列的に一定の間隔を、たとえば、１〜８ｍｍ、好ましくは３〜６ｍｍ程度の間隔を持って並んで隣接する複数の帆立貝掛止具が連続的に多数順次帯状に平行に連結してなる並列状連結貝延伸掛止具１である。
根幹３の長手方向のほぼ突起寄りに、根幹３の長手方向に直交する方向に伸びる連結部材により、隣接する別の貝延伸掛止具単体とを連続的に繋げる中央連結用部材５によるもの、および／または掛止具単体２のロープ止め突起片３１１，３１２の先端部による連結、および連結部材とロープ止め突起片による併用型連結というように、隣接する貝延伸掛止具２の根幹３とを、一定の間隔を持って少なくとも二点により、並列的に帯状に多数連結した並列状連結貝掛止具１となっている。勿論、二点、三点で連結することも設計上可能である。
【００３５】
最も好ましい連結態様は、貝延伸掛止具単体の連結が、図４に見るとおり、単体の一方のロープ止め突起片３１１の先端部において連結して、他方のロープ止め突起片３１２の内側に接触しない程度に隣接する位置から根幹の長手方向に対して直交方向に伸びる一本の可撓性連結材５により連結した、少なくとも二箇所で隣接する根幹同士が帯状に並列に連結した構造の連結貝延伸掛止具１（フープピン）である。この連結構造は、図４に見るとおり、各一対のロープ止め突起３１１、３１２、およびアグまたはかえしの構造３２４のような貝抜け防止部３２２が同一方向（図で紙面方向）に向くように単体を共通して並べることが成形上に於いても、取り付け上においても好ましい。
ロープ止め突起片３１２の先端部と連結用部材５とは、接触してもよいが、極端に接合していると貝孔への取り付け作業の支障となる場合がある。通常は、０．０１〜２ｍｍ程度の間隔があれば、貝延伸係止具の機能上、および成形上支障とならない。
同様に、別態様の連結形態は、図５に示すとおり、貝延伸掛止具単体２の連結が、一方のロープ止め突起片３１１の先端部による隣接する掛止具の根幹３と連結すること、および他方のロープ止め突起片３１２の外側に接触しない程度に隣接する位置から根幹の長手方向に対して直交方向に伸びる一本の可撓性連結材５により連結した、少なくとも二箇所で隣接する根幹３同士が帯状に連結している並列状連結貝延伸掛止具１の構造のものである。この図５の並列状連結貝延伸掛止具１には、成形後のランナー４がまだ付いている状態のものであり、使用状態に於いては、容易に切り離して取り除くことができる。
【００３６】
貝延伸掛止具単体の連結状態は、通常任意に作成することができるが、取り扱いの事情も考慮すれば、金型成形規模では通常５０〜１２０個程度で成形されるが、実際の並列状連結貝延伸掛止具の連結数は、供給する養殖現場の事情にもよるが、５０〜３００００個が順次帯状に連結してなる並列状連結帆立貝掛止具であり、順次帯状に任意に連結することによる帯状態に、ロール状に、又はボビン状に巻かれた状態にすることが好ましい。
小規模の場合は、３０〜５０個程度の少量から、１００〜５００個程度、場合によっては１０００〜５０００個程度と、場合によっては５０００〜３００００個、好ましくは８０００〜１００００個程度で流通可能である。いずれにせよ養殖規模の状況を考慮して任意に決めることができる。ここで規定する寸法や条件は、標準の大きさの稚貝の場合であり、貝の大きさや、養殖時期、養殖場所、および貝係止具の材料の強度を考慮して任意に変えることができる設計変更の範囲内のことである。
【００３７】
本発明の並列状連結貝延伸掛止具１を構成する貝延伸係止具単体２と隣接する貝延伸係止具２’とが、図６を参考に示すと、ピン抑え機能を果たすロープ止め突起片３１１、３１２の少なくとも一つが母線Ｒ止めの役割を果たすと共に、連結用部材５の役割を兼ねるという構造は、根幹３への連結用部材だけによる連結に比較して、連結用部材５の切り残し残渣が無いという点や、複雑な連結状態が回避できるので非常に有意な構造である。また、帆立貝係止具として切り離しをした場合に、成形材料の若干の消耗や損失も防ぐことになり、省資源としての評価もできる。このような構造は、成形性の容易性や、多数取り成形において、複雑で、無用な構造部分の成形を省略することができるので、不良品の発生を防止するという点で、成形上のリスクを回避するという点でも有利であることが挙げられる。
【００３８】
本発明の貝延伸掛止具単体２の構造に起因した機能を詳細に説明すれば、根幹３のロープ止め突起３１１、３１２の一方の突起側に隣接した状態で切り離した場合に、連結用部材５の切り残しとして残留部材５’が残ることもある。仮に、この残留部材５’が残ったとしても、残留部材が、本発明の貝延伸掛止具２を母線Ｒに対して、挿入して取り付けた場合に、過剰な移動を防止する役割を果たすこともあり、掛止具が対称に母線Ｒに配置されるとともに、この残留部材５’が母線Ｒに若干埋め込まれたり、絡んだりして、或いは接触して、帆立貝掛止具２の母線Ｒに対する回転運動、揺動、又は移動を抑制する機能を果たすことになり、養殖における、帆立貝の脱落を防止するという有意な機能を果たすことも有り得る。一方、挿入側に残量部材５’が無いという構造の場合には、挿入をスムーズにするということになりバランスのとれた機能の発現することに寄与することになる。
さらに残留部材５’は、貝掛止具の単品２を母線Ｒへ矢印方向から押圧で挿入して取りつける場合の、この残留部材５’が、母線Ｒの周囲にからみ必要以上に押し込まれることを防止する機能を果たすことになり、ロープ止め突起３１１、３１２の保護や、貝掛止具２が対象にバランスよく左右対称に、平行に母線Ｒに取り付ける機能を果たす。
さらには、このような残留部材５’の加工は、帆立貝掛止具の単品の切り離しの容易性による作業効率の向上、および切り離しの際の力が、帆立貝掛止具の歪みや、並列状連結貝延伸掛止具１の他の部分に不必要な力が加わることを防ぐことになり、多機能を果たす役割を果たすことも有り得る。
【００３９】
さらに、並列状連結貝延伸掛止具１を、斜め状突起であるピン抑え機能を果たすロープ止め突起片３１１、３１２で一部連結するということは、貝延伸掛止具単体２の切り離しに於いて、根幹３の平行方向に力を加えると容易に分離することができる。これは、並列状連結貝延伸掛止具１より単体２を切り離す場合に、歪みなどを少なくすることができる。
このように、根幹３の中央付近で、一本の連結用部材５の接合部点と、ロープ止め突起３１１の先端の接合点という、少なくとも二点で連結することにより、歪、湾曲、破損などを防ぎ、並列状連結貝延伸係止具の形状を変形させるような力が加わることを防止することが可能である。さらに、並列状連結貝延伸掛止具１の輸送、保管、ロープ取り付けなどの取り扱いにおいても、ロール巻き、又はボビンに巻き取る場合の形状安定性、破損防止に極めて有利である。必要な場合には、並列状連結貝延伸掛止具の必要な箇所を随時他の連結用部材でさらに連結することも可能である。
【００４０】
本発明の並列状連結貝延伸掛止具１を構成する帆立貝掛止具単体２の材料は、金属、プラスチック、木材など、多くの材料が用いられるが、一般には、熱可塑性樹脂である、プラスチックが最も適している。プラスチック材料は、ポリエチレン、ポリプロピレン、ポリアセタール、ポリカーボネート、ポリエステル、ポリサルホン、ポリフェニレンサルファイド、ポリアクリレート、ポリアミド、などの各種汎用のプラスチック材料が強度、耐久性、耐水性、再処理性、無毒性、価格などの事情を考慮して使用される。特にエンジニアリングプラスチックの範疇に属する材料であれば任意に使用できるので、これらの例示のプラスチック材料に限定されるものではない。特に耐久性、成形性、価格などの面を総合的にみれば、ナイロンのようなポリアミド樹脂が適している。これは普通にナイロン６、６６、１１、１２、４６、６１０という商品名で容易に入手できる材料である。ナイロン１１、１２などは吸水性が小さく根幹に適している。さらに、耐水性、耐加水分解性の改良した材料を選定することも推奨される。
【００４１】
本発明の耳吊用の並列状連結貝延伸掛止具１および貝延伸掛止具２の成形方法は、プラスチック材料の幹棒３を、切削、溶着のような二次加工により成形した、図２に示す未延伸状態の伸掛止具を、必要な箇所を延伸する手法により製造することも一応可能であろうが、しかし、本件発明の並列状連結帆立貝掛止具１は一時期に多量に使用されることも有り得るし、しかも大きさ、寸法、品質が一定のものが要求されるという事情からすれば、工業的には、本発明の樹脂（プラスチック）製の細長い小さな棒状の根幹３の中央部分が「ロープ止め部位３１」および根幹３の一端または両端部分に「貝保持用部位３２」を有する掛止具を一度に多数個成形する、いわゆる多数の未延伸掛止具が連結した状態の連結帆立貝掛止具を一度に射出成形をして、その後スライドコア７３２によりその成形品の所定箇所に延伸工程を付加することが、工業的に有利な理想的な製造方法である。このように、並列状連結帆立貝掛止具１が多数連結した構造の製品を作ることは、その後母線取り付けピンセッターを使用して、容易に取り付けるために有益である。射出成形された帯状の並列状連結貝延伸掛止具１を、熱処理、アニーリング、塗布、塗装、架橋処理等の後処理により、製品の耐海水性、強度および品質を上げることは任意に採用することである。
【００４２】
貝延伸掛止具の典型的な合理的な、工業的な成形方法を示すと、射出成形と金型の固定側と可動側のキャビティー（上型と下型からなる金型キャビティ−）を用いて、図２に示すように、未延伸の掛止具を、図７に示すような、上型と下型により形成される金型キャビティ−を有する多数個取り金型により貝未延伸掛止具を予め成形し、ついでその未延伸貝掛止具を図８に示す要領で、貝保持用部位３２を、放冷段階で、温度９０〜３３０℃程度の樹脂の融点以下の温度で、割金型を左右にスライドさせて根幹３の軸方向へ引き伸ばして分子を配向させることにより養殖用帆立貝掛止具の成形方法が達成できる。
【００４３】
具体的には、図９に示す成形装置７に敷設されている、図７に示すスライドコア７３２の要領で、金型の固定側と可動側のキャビを閉じ、過熱した状態のキャビに射出成形機で樹脂を充填し、掛止具を形成する。この図７の状態は、延伸する前に金型に樹脂が充填され、形成されている未延伸状態を説明するものである。
図７の割型をスライドさせて、根幹３を軸方向に延伸加工を示すのが、図８であり、図７の未延伸掛止具の状態のものが延伸している状態を示す説明図である。
形成された掛止具の寝床の径を延伸する為、前記ロープ抑え３１１、３１２を加工した固定側型６１と貝保持用部位３２を加工した可動側型６２より構成される割型のキャビティーを閉じた状態でこれを保持し、貝穴に挿入する中央部に設けた丸型の抜け止め具３２４と、任意の曲率半径の円弧の係止の形状を固定側６１と可動側６２のスライドが閉じた状態で挟み込み、型開を行う時点でスライドが傾斜ピン７１２で矢印方向に移動する際に抵抗する作用をもたせ、この張力によって掛止形状の根元部分と寝床の径３２３が延伸され細くて引張強度が高く、靭性のある掛止具を製造することができる。
尚、引張抵抗の作用をもたせる丸型の凸状の抜け止め具３２４の他に、三角、四角の形状を任意に設けることができる。
【００４４】
本発明の貝延伸掛止具の成形方法および延伸方法の一つの詳細を示すと、延伸前の係止具は、図２、図７に見るとおり、貝穴に挿入する先細りの両挿入先端部３２１の最大径は１．４ｍｍに加工し、貝抜け防止部３２２を構成する係止の形状は、貝吊り下げ部３２３（貝の寝床）の方向にスムーズに屈曲し、挿入後に自動的に復帰できる程度の厚み０．３ｍｍ程度に形成されている。延伸しようとする貝吊り下げ部（寝床）３２３の径は、最大径より若干細くした１．２ｍｍとし、延伸する貝吊り下げ部３２３（寝床）の長さは約５ｍｍ程度に加工を行っているので、延伸する前の貝吊り下げ部（寝床）３２３の根幹の体積は５．６５ｍｍ３程度である。
これを図１に見るとおり、スライドに加工した寝床の個所を図８（ａ）、図８（ｂ）に示す矢印方向に２倍に延伸しているので、延伸後の寝床の根幹の径は０．８ｍｍに形成されており、貝穴１．４５ｍｍに挿入することができ、引張強度は９ｋｇを有しており、太さが細く強度の高い掛止具を製造することができたものである。
【００４５】
本発明の延伸成形装置７の概要は、図９、図１０に示すように、上部機構７１、中央機構７３、および下部機構７５から構成されている。上部機構７１は、スプール７１１、ハの字型の傾斜ピン７１２が設けられている。中央機構７３には、スライドコア７３２が設けられており、この機構の概要は、図７、図８に示すような、図２に示す掛止具が賦型され、両端部に樹脂注入口を有する上型および下型からなり構成されており、上型および下型が、貝保持用部位を延伸する為に左右に移動可能な状態の右型６２、中型６１および左型６３に三分割できる割型が配置されている構成からなる貝延伸掛止具の成形装置である。
【００４６】
本発明に係る掛止具を製造する上で、金型は重要な意味を持つ部分であって、金型の全体図の機構は省略するが、その機構は、例えば、上型と下型のような二つの金型により形成され金型キャビティ−に樹脂を注入することにより成形し、次いで射出サイクルの稼動の為に上部機構７１の移動に連動して傾斜ピン７１２がＰ１方向に移動することにより、傾斜ピン７１２の動きが、割型である右スライド型６２と左スライド型６３とを左右にそれぞれＰ２の方向にスライドさせる押力を与えることにより、延伸させるという機構を備えた延伸成形装置とすることが好ましい。
下型の例を、図７、図８の金型図に基づいて成形および延伸をする工程を説明する。
なお、上型に相当する可動側の金型キャビティ−の概要は、固定側である下型のキャビティ−より容易に推察できるので、可動側金型のキャビ図の詳細は省略する。
固定側金型６に相当する下型は、固定型６１と右スライド型６２と左スライド型６３から構成される、いわゆる割型である。固定型６側には、係止具の根幹３の中央部付近を構成する一対のピン抑え機能を果たすロープ止め突起３１１、３１２を対称に有する金型キャビティ−が刻印されている。
一方、右スライド型６２および左スライド型６３には、掛止具の貝保持用部位３２を構成する先細りの挿入先端部３２１および貝抜け防止部３２２の構造を有する形態が刻印されている。この上型と下型により形成される金型キャビティ−内に樹脂を射出充填する。この射出充填の結果として、樹脂充填ランナー４が残る状態である。
【００４７】
この成形の場合に、固定型６１と右スライド型６２には、貝穴に挿入することにより係止する為の形状は、挿入する際に内側にスムーズに屈曲し、挿入後に自動的に復帰する程度の弾性を有し、任意の曲率半径の円弧の形状を有する抜け止め具３２４を備えた貝抜け防止部３２２の機能を果たす形状の突起となっており、挿入する中央部は丸型で凸状にしている。延伸しようとする貝吊り下げ部３２３（貝の寝床）の径は最大径より若干細くした寝床の根幹の径と長さに加工されている。係止具の貝保持用部位３２とロープ止め部位３１の根幹部分の境界部には延伸する際に内部応力が発生し、延伸により過剰の負荷が加わるので、養殖期間中に貝の荷重による集中応力でピンが破損することもある。そのため、その部分はＲ形状の加工を施すことにより強化対策をすることが好ましく、掛止具に樹脂を充填させるランナー４を加工することもその対策の一つである。
【００４８】
図１１（ａ）に見る通り、掛止具が細いため、帆立貝の成長が促進され、引張強度、弾性が高いため、養殖期間中に成長した帆立貝を回収する際に係止具より脱落するという問題が解消されたものである。
従来型の未延伸の掛止具である図１１（ｂ）に比較すれば、容易にその有意性がある。
【００４９】
【実施例】
【００５０】
以下、本発明の有効性に関する評価を、実施例を挙げて説明をするが、本発明はこの態様に限定されるものではない。
【００５１】
（並列状連結貝延伸掛止具の成形）
本発明のほたて貝耳吊用並列状連結貝延伸掛止具１を、樹脂材料として、ナイロン１１を用いて、図９、図１０に見るように末端構造を成形できる多数個取りの、固定型、右スライド型、および左スライド型からなる割金型（上型図示省略）を備えた慣用の延伸成形装置７により、並列状連結帆立貝掛止具１の多数が一体に連結した状態のユニットを、一度に８０個の成形をした。貝抜け防止部３２４の構造はダブルアグ構造のものを採用した。
次いで、除冷段階で、割型の、右スライド型、および左スライド型を、約１０ｃｍ／ｓｅｃの延伸速度で、３ｃｍ程度スライドさせて根幹３を軸方向に引き伸ばして延伸配向させる。この成形により、図１に示す延伸掛止具と、図２に示す未延伸掛止具の性能を比較すれば以下のとおりになる。注；根幹強度の変化（ｋｇ）は、掛止具の貝保持用部位に加重をかけて、切れる重量を測定する。掛止具の３本を実験して、その平均値を根幹強度とする。根幹径の変化（ｍｍ）；延伸前の根幹の径と延伸後の径の変化に関する、３点の測定値の平均値である。
根幹径の変化（ｍｍ）    根幹強度の変化（ｋｇ）    物性
延伸掛止具          １．５                    ８．５              可撓性
未延伸掛止具        １．６                    ６．０              弱可撓性
【００５２】
（並列状連結貝延伸掛止具の保形試験）
長さ１ｍ程度の帯状の並列状連結帆立貝延伸掛止具を１０回巻取り、巻戻しを繰り返しても、並列状連結帆立貝延伸掛止具には、破損、離脱、変形、歪みがなく、安定した形状を保持しており、輸送、保管、養殖現場の取り扱いに耐えうる構造であることを確認した。
【００５３】
（自動挿入機（ピンセッター）における簡単な挿入試験）
本発明の並列状連結貝延伸掛止具を慣用の自動挿入装置（ピンセッター）へセットして、直径８ｍｍのロープに順次自動挿入する。この挿入された貝係止具（ピン）１０個を目視判定する。特に、貝掛止具（ピン）がロープを中心に左右対称に取り付けられているかを観察すれば、ロープを中心にして、１０個の全部が左右対称に取り付けられていることを確認することができる。
【００５４】
（水中揺動試験）
直径７ｍｍ程度のロープに、根幹３の中央部に連結用部材７の突起状残渣が残る本発明の帆立貝延伸掛止具１０個を１２ｃｍ間隔で、突起残渣がロープ中に埋め込まれるように取り付けた。比較の為、根幹３の中央部に突起状残渣の無いもの１０個を１２ｃｍ間隔で取り付けたものとを、水中に並べ、約２４時間不規則な運動を与えた。
これにより、本発明の帆立貝延伸掛止具２は、１０個に大きなずれ、偏り、或いは回転が無く、可撓性であり、水中での貝に加わる衝撃力強度が緩和されることを確認することができた。一方、未延伸掛止具の場合には、遊びがなく、偏りが２個と若干多く、しかも、帆立貝の耳の突起物に接触して、抜け防止機能を有する掛止部５が根幹３に密着し、帆立貝掛止具より帆立貝が１個落下したのを発見した。この試験の結果、貝吊り下げ部３２３
が細く、長く、しかも強度の大きい帆立貝延伸掛止具の方が、貝が海水浮遊するに適しており、回転により貝の離脱に影響を受けることが低いと予測される。
【産業上の利用可能性】
【００５５】
貝の養殖現場において、特に、帆立貝養殖現場において、経済的に安価に強力な貝掛止具を提供することにより、帆立貝掛止具の取り付けおよび貝の取り付け作業が容易にできるとともに、しかも安定に取り付けができるために、貝の離脱が少ないという労力、効率、経済的な面においても貢献するので、養殖産業の発展に著しく寄与するものである。
また、掛止具という特定の分野の特定の用途において、延伸という技術を導入することであり、着眼点において優れているばかりでなく、延伸技術の発展、および延伸成形技術の利用分野の発展に寄与するばかりでなく、延伸装置を開発するということは、プラスチック、樹脂の成形技術の産業の発展に寄与するものである。
【符号の説明】
【００５６】
Ｒ        ロープ、縄、紐のような母線
Ｓ        貝
１        並列状連結貝延伸掛止具
２        貝延伸掛止具単体
３        貝掛止具の根幹
３１      ロープ止め部位
３１１    ロープ止め右突起
３１２    ロープ止め左突起
３２      貝保持用部位
３２１    挿入先端部
３２２    貝抜け防止部
３２３    貝吊り下げ部
３２４    凸状の形状の抜け止め具
４        ランナー
５        可撓性連結材
６        固定側金型
６１      固定型
６２      右スライド型
６３      左スライド型
７        傾斜ピン
７１１    スプール
７１２    傾斜ピン
７３２    スライドコア
７３５    スライド押し切り面
【先行技術文献】
【特許文献】
【００５７】
【特許文献１】特開昭５６−１０２７４４号公報
【特許文献２】特開平４−７１４３６号公報
【特許文献３】特許第３３７５６１７号公報
【特許文献４】特開２００４−２０８６１９号公報
【特許文献５】特開２００２−１３６２４１号公報
【特許文献６】特開２００３−２８９７４３号公報
【特許文献７】意匠登録第１１８４３２２号公報
【特許文献８】意匠登録第１３１８２４０号公報
【特許文献９】意匠登録第１２５３３３９号公報
【特許文献１０】特開２００６−１２９７５４号公報
【特許文献１１】特開２００６−２８０３１２号公報
【特許文献１２】特開２０１０−２２０５４９号公報
【特許文献１３】実用新案登録第３１８５８４４号公報
【図２】
2015223129.tif 000003
【図１】
2015223129.tif 000004
【図３】
2015223129.tif 000005
【図４】
2015223129.tif 000006
【図５】
2015223129.tif 000007
【図６】
2015223129.tif 000008
【図７】
2015223129.tif 000009
【図８】
2015223129.tif 000010
【図９】
2015223129.tif 000011
【図１０】
2015223129.tif 000012
【図１１】
2015223129.tif 000013